(57)【要約】      （修正有）【課題】披露宴に参加する列席者の全員が、披露宴の間、新郎と新婦に対面した状態、もしくは、際めてそれに近い状態での着座が可能となるテーブルを提供する。【解決手段】ハート型の形状をした天板を備えたテーブルＷを使用し、そして、このテーブルの周回部４へ、着座する列席者数に応じた数の椅子を新郎Ｍと新婦Ｆが着座するメインテーブルＴの方向へ向けてバランスよく配置し、そこへ列席者Ｈの全員が、椅子の配置方向と同様に、新郎Ｍと新婦Ｆが着座するメインテーブルＴの方向へ体を向けて着座することにより、披露宴に参加する列席者Ｈの全員が、披露宴の間、新郎Ｍと新婦Ｆに対面した状態、もしくは、極めてそれに近い状態での着座が可能となる。【選択図】図１
0003164300.tif 000002
【実用新案登録請求の範囲】
【請求項１】
ハート型の形状をした天板を備えたテーブル。
【考案の詳細な説明】
【技術分野】
【０００１】
本考案は、披露宴時をはじめ各種パーティー、その他イベントや会議などの会場で幅広く使用が可能なテーブルの形状に関する。
【背景技術】
【０００２】
従来、披露宴や各種パーティーなどに使用される多くのテーブルは、円形型や四角形型の形状をした天板を備えたテーブルが多く用いられ、特に、円形型の形状をした天板を備えたテーブル使用時においては、図２（ｂ）で示すように、全員がテーブルの中心に向かって着座していた。
【考案の概要】
【考案が解決しようとする課題】
【０００３】
しかし、従来のような円形型や四角形型の形状をした天板を備えたテーブルを使用すると、次のような課題が生じる。披露宴時を例に挙げると、披露宴時に列席者が着座する場所によっては、披露宴の間ずっと新郎と新婦に背を向けてしまう席があり、その席へ着座している列席者が新郎と新婦に対面して着座するためには、着座した椅子の向きを変えるか、もしくは、体の向きを変える必要があり不便である。
【課題を解決するための手段】
【０００４】
そこで、披露宴に参加する列席者の全員が新郎と新婦に対面した状態、もしくは、極めてそれに近い状態での着座が可能な、ハート型の形状をした天板を備えたテーブルを考案した。このハート型の形状をした天板を備えたテーブルを使用し、図１（ｂ）で示すように、ハート型の形状をした天板を備えたテーブルの周回部４へ着座する列席者数に応じた数の椅子を、新郎と新婦が着座するメインテーブルＴの方向へ向けてバランスよく配置し、そこへ列席者の全員が、椅子の配置方向と同様に、新郎と新婦が着座するメインテーブルＴの方向へ体を向けて着座することにより、披露宴に参加する列席者の全員が、披露宴の間、新郎と新婦に対面した状態、もしくは、極めてそれに近い状態での着座が可能となり、この問題は解決する。
【考案の効果】
【０００５】
よって、本考案のハート型の形状をした天板を備えたテーブルを使用し、図１（ｂ）で示すように、ハート型テーブルの周回部４へ着座する列席者数に応じた数の椅子をバランスよく配置し、そこへ列席者が新郎と新婦が着座するメインテーブルＴの方向へ体を向けて着座することにより、従来使用していた円形型や四角形型の形状をした天板を備えたテーブルを使用した時とほぼ同間隔で椅子を配置したとしても、本考案のハート型の形状をした天板を備えたテーブルは、従来使用していた円形型や四角形型の形状をした天板を備えたテーブルを使用したときと比べて、披露宴に参加する列席者の全員が、新郎と新婦に対面、もしくは、極めてそれに近い状態で着座するための椅子や体の向きを変える必要が軽減される。
そして、本考案のハート型の形状をした天板を備えたテーブルをより効果的にさせるのは、このハート形の形状をした天板を備えたテーブルのテーブル天板の形状で、ハート型の形状そのものが、多くの国において、平和や愛を象徴するシンボルマークとして周知され、大切にされているということもあり、披露宴に参加した全員が、より一層の幸福感を得ることができるので、披露宴をはじめ、その他の平和的行事においても絶大的な効果が生じる。
また、披露宴内にて多く行われるキャンドルサービス時等にも、図２（ｂ）で示すような従来の円形型の形状をした天板を備えたテーブル使用時とは違い、本考案のハート型の形状をした天板を備えたテーブルを使用することで、図１（ｂ）で示すように、ハート型の形状をした天板を備えたテーブルのくぼみ１へキャンドルＣを置くことができ、列席者の人と人の間から行うキャンドルへの着火が不要となるため、万が一の火傷や火災予防にもつながり、安全面においての配慮が行える。
【図面の簡単な説明】
【０００６】
【図１】（ａ）は、新郎Ｍと新婦Ｆが着座するメインテーブルＴの平面図である。（ｂ）は、本考案に係るハート型の形状をした天板を備えたテーブルＷを使用したときの着座方法と、キャンドルＣをハート型の形状をした天板を備えたテーブルＷのくぼみ１へ置いて使用したときを示した平面配置図である。
【図２】（ａ）は、新郎Ｍと新婦Ｆが着座するメインテーブルＴの平面図である。（ｂ）は、従来多く使用されている円形型の形状をした天板を備えたテーブルＪを使用したときの着座方法と、キャンドルＣを従来多く使用されている円形型の形状をした天板を備えたテーブルＪの中心に置いて使用したときを示した平面配置図である。
【図３】本考案に係るハート型の形状をした天板を備えたテーブルＷの平面図である。
【図４】本考案に係るハート型の形状をした天板を備えたテーブルＷの正面図である。
【図５】本考案に係るハート型の形状をした天板を備えたテーブルＷの背面図である。
【図６】本考案に係るハート型の形状をした天板を備えたテーブルＷの右側面図である。
【図７】本考案に係るハート型の形状をした天板を備えたテーブルＷの左側面図であ            る。
【図８】本考案に係るハート型の形状をした天板を備えたテーブルＷの底面図である。
【考案を実施するための形態】
【０００７】
本考案に係るハート型の形状をした天板を備えたテーブルＷを、図１（ｂ）に示すように、ハート型の形状をした天板を備えたテーブルのくぼみ１が新郎Ｍと新婦Ｆが着座するメインテーブルＴに向くように配置する。そして、図１（ｂ）に示すように、ハート型の形状をした天板を備えたテーブルの周回部４に、着座する列席者数に応じた数の椅子をバランスよく配置し、そこへ列席者Ｈの全員が、新郎Ｍと新婦Ｆが着座するメインテーブルＴの方向へ体を向けて着座をする。
ハート型の形状をした天板を備えたテーブルのくぼみ１から左右に延出している両サイドまでの周回部分、すなわち、くぼみ１から右サイド部分３ａまで周回する２ａ、そして、くぼみ１から左サイド部分３ｂまで周回する２ｂの２つの部分は、列席者Ｈがそこへ着座した場合、新郎Ｍと新婦Ｆに背を向けた状態での着座をしてしまう可能性が高いので、なるべく着座を控えることが望ましい。
【０００８】
本考案に係るハート型の形状をした天板を備えたテーブルに使用する資材としては、金属製や木材製などの適当な強度のあるものが望ましい。又、このテーブルの脚に関しても同様である。
【０００９】
本考案に係るハート型の形状をした天板を備えたテーブルの天板の大きさや形は、テーブルを使用する会場に合った適当なものが望ましい。
【００１０】
本考案に係るハート型の形状をした天板を備えたテーブルの脚は、テーブルの強度に応じて、脚の本数を適当なものにし、テーブルの移動時を考慮した上で、脚先にコマなどを取り付ける方法や、持ち運びに便利な折りたたみ式のものであってもよい。
【符号の説明】
【００１１】
１      ハート型の形状をした天板を備えたテーブルのくぼみ
２ａ    ハート型の形状をした天板を備えたテーブルのくぼみから右サイド部分までの          周回部
２ｂ    ハート型の形状をした天板を備えたテーブルのくぼみから左サイド部分までの          周回部
３ａ    ハート型の形状をした天板を備えたテーブルの右サイド部分
３ｂ    ハート型の形状をした天板を備えたテーブルの左サイド部分
４      ハート型テーブルの周回部
Ｃ      キャンドル
Ｆ      新婦
Ｈ      列席者
Ｊ      円形型の形状をした天板を備えたテーブル
Ｍ      新郎
Ｔ      新郎と新婦が着座するメインテーブル
Ｗ      ハート型の形状をした天板を備えたテーブル
【図１】
0003164300.tif 000003
【図２】
0003164300.tif 000004
【図３】
0003164300.tif 000005
【図４】
0003164300.tif 000006
【図５】
0003164300.tif 000007
【図６】
0003164300.tif 000008
【図７】
0003164300.tif 000009
【図８】
0003164300.tif 000010